(57)【要約】  ユーザ・インタフェースは、入力装置（１８）で伽パシッティ部センサ（２０）と接触感知センサ（２２）を統合して使用している。ユーザが指をキー（１６ａ―６ｄ、１７）の近くにおいた場合、キャパシティブセンサは、キーの機能を表す指標を拡大した形式で一時的に表示するようにディスプレイ（１４）を制御する。その後、ユーザは所望の機能を起動するために、関連したキーを押下することができる。１つの例示的な実施形態では、キャパシティブセンサは、ディスプレイに表示される機能に装置の機能を固定する。正しいキー、複数のキー、または、１つの誤ったキーのどのキーであっても、キーに接触入力を印加すると、キャパシティブ入力の結果としてディスプレイに表示される機能を起動する。【選択図】  なし
2010534883.tif 000002
【特許請求の範囲】
【請求項１】
電子装置（１０）で使用するためのユーザ・インタフェースであって、
ディスプレイ（１４）と、
それぞれが近接入力を検出する近接センサ（２０）と接触入力を検出する接触感知センサ（２２）とを備える複数のキー（１６ａ−ｄ、１７）を有する入力装置（１８）と、
前記複数のキーのいずれか１つの近接入力を受け付け、前記近接入力を受け付けると、前記複数のキーのいずれか１つの機能を表す指標を拡大して表示するように前記ディスプレイを制御するように構成されているコントローラ（４１、４２）とを備え、
前記コントローラ（４１、４２）は、更に、前記複数のキーの少なくとも１つからの接触入力を受け付け、前記接触入力を受け付けると、前記ディスプレイに表示されている前記機能を当該電子装置に実行させるように構成されている
ことを特徴とするユーザ・インタフェース。
【請求項２】
前記コントローラ（４１、４２）は、前記近接入力を受け付けたキーとは異なるキー（１６ａ−ｄ、１７）から前記接触入力を受け付けた場合、前記ディスプレイに表示されている前記機能を前記電子装置（１０）に実行させる
ことを特徴とする請求項１に記載のユーザ・インタフェース。
【請求項３】
前記コントローラ（４１、４２）は、複数のキー（１６ａ−ｄ、１７）から同時に前記接触入力が受け付けられる場合、前記ディスプレイに表示されている前記機能を前記電子装置（１０）に実行させる
ことを特徴とする請求項１に記載のユーザ・インタフェース。
【請求項４】
前記複数のキー（１６ａ−ｄ、１７）のそれぞれの前記近接センサ（２０）は、キャパシティブ入力を検出するキャパシティブセンサである
ことを特徴とする請求項１乃至３のいずれか１項に記載のユーザ・インタフェース。
【請求項５】
前記電子装置（１０）は、複数の動作モードで動作するように構成され、
前記コントローラ（４１、４２）は、更に、前記近接入力を受け付けたキーの現在の動作モードおける機能を表す指標を拡大して表示するように前記ディスプレイ（１４）を制御するように構成されている
ことを特徴とする請求項１から４のいずれか１つに記載のユーザ・インタフェース。
【請求項６】
前記コントローラ（４１、４２）は、更に、前記電子装置（１０）の前記現在の動作モードを表す指標を表示するように前記ディスプレイ（１４）を制御するように構成されている
ことを特徴とする請求項５に記載のユーザ・インタフェース。
【請求項７】
電子装置（１０）における機能を動作させる方法であって、
前記電子装置のキー（１６ａ−ｄ、１７）から近接入力を受け付けるステップと、
前記近接入力を受け付けた前記キーの機能を表す指標を拡大して表示するステップと、
前記電子装置の少なくとも１つのキーから接触入力を受け付けるステップと、
前記ディスプレイ（１４）に表示されている前記機能を実行するステップと
を備えることを特徴とする方法。
【請求項８】
前記近接入力を受け付けたキー（１６ａ−ｄ、１７）と前記接触入力を受け付けたキーが異なるキーである場合、前記ディスプレイ（１４）に表示されている前記機能をロックするステップを更に備える
ことを特徴とする請求項７に記載の方法。
【請求項９】
複数のキー（１６ａ−ｄ、１７）から同時に前記接触入力が受け付けられる場合、前記ディスプレイ（１４）に表示される前記機能をロックするステップを更に備える
ことを特徴とする請求項７に記載の方法。
【請求項１０】
前記電子装置（１０）は、複数の動作モードを有し、
前記表示するステップは、現在の動作モードにおける前記近接入力を受け付けたキーの機能を表す指標を拡大して表示することを含む
ことを特徴とする請求項７乃至９のいずれか１項に記載の方法。
【発明の詳細な説明】
【技術分野】
【０００１】
本発明は、一般的には、携帯電話機のようなポータブル電子装置のユーザ・インタフェースに関するものであり、より詳しくは、キー機能に対応するアイコンやシンボルを拡大して表示するユーザ・インタフェースに関するものである。
【背景技術】
【０００２】
現在、ポータブル電子装置のユーザ・インタフェースは、あるユーザにとっては不便である場合もある。このような装置は、より小型化しており、また、特に、視覚障害者や小さな装置を操作するために十分に手先が器用でない人にとっては、多くの機能へのアクセスは難しい場合もある。
【０００３】
携帯電話機、メディア・プレーヤ、及び、パーソナルデジタルアシスタント（ＰＤＡ）及びその他のような、ポータブル電子装置の人気が増加している。複数の装置を持ち歩く必要をなくすために、ポータブル電子装置は、現在、多岐にわたる機能を提供するように構成されている。例えば、携帯電話機は、もはや単に電話の発信及び着信のために使用されていない。携帯電話機は、カメラ、ニュースや情報にアクセスするためのインターネット・ブラウザ、オーディオビジュアル・メディア・プレーヤ、メッセージング装置（テキスト、音声、及び映像の少なくとも１つのメッセージ）、ゲーム装置、及び、パーソナル・オーガナイザであり、そして、同様の他の機能も備えている。
【０００４】
機能の増加にもかかわらず、ポータブル電子装置の物理的なサイズは、より良い携帯性を提供するために縮小されてきている。ポータブル電子装置の物理的なサイズが全体的に小さくなっているので、数字のキーパッド・ボタンのような入力装置のサイズも同様に小さくなっているケースがある。あるユーザには携帯性の向上のために小型の入力装置は望ましいかもしれないが、その小さいサイズは他のユーザにとって障害になりうる。
【０００５】
視覚障害のあるユーザにとって、小さいキーまたはボタン上を詳細に見ることは難しい可能性がある。多くのポータブル電子装置は、電話機に見られるような伝統的な数字のキーパッドを備えているが、ポータブル電子装置のキーパッドは、一般には、装置の様々な機能に関連付けられている追加のキーまたはボタンを含んでいる。これらの機能キーは、しばし、視覚障害のある人々にとって読むことが難しい可能性があるテキストやアイコンを含んでいる。
【０００６】
視覚障害者を支援するために、ポータブル電子装置の機能の視認性を改善するための様々な試みが行われてきている。例えば、拡大ツールが使用されている。しかしながら、そのようなツールは、ユーザの片手を占有した上で、ユーザにさらに追加の装置を持ち歩くことを要求する場合があるので、不便である。ディスプレイは、大きなフォントにする機能を備えていてもよく、あるいは大きなアイコンを提供するために、スクリーンの解像度を変更することを許可することができる。ディスプレイをこのような方法で変更することは、パーソナル・コンピュータのような大きなディスプレイを有する電子装置には有益であるが、ポータブル電子装置の、典型的な小さいスクリーン・サイズのディスプレイでは、実質的な量の表示される情報を多く拡大する実用性には限界がある。
【０００７】
タッチ・センシティブ・スクリーンもまた、キー・ボタンの入力装置の代替として使用されてきている。しかしながら、他のディスプレイと変わって、ポータブル電子装置に共通な小さいスクリーン・サイズのディスプレイでは、タッチ・スクリーンの有用性には限界がある場合がある。本質的には、典型的なキーパッド・ボタンの表面よりも有意なサイズの入力表面を備えるタッチ・スクリーンを提供することは難しい可能性がある。
【０００８】
手や指の器用さを欠くようなユーザにとっても、ポータブル電子装置に共通している小さいキー・ボタンを使用することは難しいか場合がある。ここで、手先が不器用なユーザには、指や手を悪くしている傷害や病気を持っているユーザだけでなく、高齢のユーザにも当てはまる。ポータブル電子装置のサイズと比較して、大きな指や手を持つ人々もまた、小さいキー・ボタンや小さいタッチ・スクリーンを使用するための十分な器用さを欠いている可能性もある。そのようなユーザにとって、１度に複数のキーを押下すること、または間違っているキーを押下することの少なくとも一方を行うことは、望んでいない機能を起動する（アクティベート）という結果になりうる。
【発明の概要】
【発明が解決しようとする課題】
【０００９】
静電容量型（キャパシティブ・センシティブ（capacitive sensitive））入力装置は当業者に知られており、また、入力装置の使いやすさを改善するための試みに使用されている。キャパシティブ入力装置は電気的なキャパシティブセンサを備えており、指、スタイラス（タッチ・ペン）、または、他の入力器具が、入力キーまたはボタンに近接していること、またはタッチしていることを検出できる。これは、ユーザが「キャパシティブ・タッチ」による入力をすることを可能にする。そのタッチは、実際にボタンに接触して押下する必要が無い。しかしながら、キャパシティブセンサの用途は、まだ十分に実績がない。電子装置の機能がますます増えるにつれて、典型的に使用されているキャパシティブセンサは、特定のキーに関連付けられている様々な機能を確認することに関してユーザを支援していない。加えて、ユーザは、依然として正しいボタン（または、タッチ・スクリーンの表面）を押下しなければならないので、不器用なユーザを十分に支援するキャパシティブセンサは知られていない。
【００１０】
ポータブル電子装置に関するコンシューマの体験を改善するために、小型の入力装置に関する課題を解決するためのユーザ・インタフェースを改善するための技術が必要とされている。本発明の例示的な実施形態は、従来の入力装置を改善する方法で、キャパシティブセンサと接触（タクティル型）センサを組み合わせて使用する。ユーザがキー・ボタンの近くに指、スタイラス、または、他の入力器具を置いている場合、キャパシティブセンサは、そのキーの機能を表す指標を拡大して一時的に表示するように、ディスプレイを制御する。それゆえに、ユーザはキーの機能についての強調表示、つまり、装置の機能をより見やすい表示を獲得する。そして、ユーザは、所望の機能を起動するために関係しているキー・ボタンを押下することもできる。
【課題を解決するための手段】
【００１１】
１つの例示的な実施形態に従うと、キャパシティブセンサは、ディスプレイに表示されている機能に装置の機能を固定する。第１の実施形態として、この実施形態では、ユーザがキーの近くに指、スタイラス、または、他の入力器具を置くと、キャパシティブセンサはそのキーの機能を表す指標を一時的に拡大して表示するように、ディスプレイを制御する。装置はディスプレイに示される機能を効果的にロックする。正しいキー、複数のキー、または、間違った１つのキーのどれであっても、キーに印可される接触入力は、ディスプレイに表示している機能を起動する（アクティベートする）ことになる。このように、間違っているキーまたは複数のキーを押下することによって、望まない機能を起動してしまう、不器用なユーザにとっての不便さを解消することができる。
【００１２】
１つの実施形態に従うと、近接検出の１つのレベルで、近接を検出したキーの機能を表す指標を表示するようにディスプレイを制御し、また、同一のキーにおける近接検出の他のレベルで、ディスプレイに表示されている機能を起動するようにするために、キャパシティブセンサのような、２重レベルの近接センサがあってもよい。
【００１３】
他の実施形態に従うと、触覚検出の１つのレベルで、接触圧力を検出するスイッチの機能を表す指標を表示するようにディスプレイを制御し、また、同一のスイッチにおける押下検出の他のレベルで、ディスプレイに表示している機能を起動するようにするために、接触圧力検出スイッチような、二重の接触感知センサがあってもよい。
【００１４】
それゆえに、本発明の１つの観点に従うと、電子装置で使用するためのユーザ・インタフェースは、ディスプレイと、それぞれが近接入力を受け付ける近接センサと接触入力を受け付ける接触検知センサを含む複数のキーを有する入力装置と、複数のキーのうちの１つのキーの近接入力を受け付け、近接入力を受け付けたときに、複数のキーの１つの機能を表す指標を拡大して表示するようにディスプレイを制御するように構成されているコントローラとを備え、このコントローラは、複数のキーの少なくとも１つから接触入力を受け付けるように構成され、接触入力を受け付けたときに、このコントローラは、ディスプレイに表示されている機能を電子装置に実行させる。
【００１５】
ユーザ・インタフェースの１つの実施形態に従うと、近接入力を受け付けたキーと異なるキーから接触入力を受け付けた場合、コントローラは、ディスプレイに表示されている機能を電子装置に実行させる。
【００１６】
ユーザ・インタフェースの１つの実施形態に従うと、接触入力を複数のキーから同時に受け付けた場合、コントローラは、ディスプレイに表示されている機能を電子装置に実行させる。
【００１７】
ユーザ・インタフェースの１つの実施形態に従うと、近接入力を受信したキーと同一のキーから接触入力が受け付けた場合、コントローラは、ディスプレイに表示されている機能を電子装置を実行させる。
【００１８】
ユーザ・インタフェースの１つの実施形態に従うと、複数のキーのそれぞれの近接センサは、キャパシティブ入力を受け付けるためのキャパシティブセンサである。
【００１９】
ユーザ・インタフェースの１つの実施形態に従うと、キーはキーパッド・ボタンである。
【００２０】
ユーザ・インタフェースの１つの実施形態に従うと、キーはタッチ・スクリーン面である。
【００２１】
ユーザ・インタフェースの１つの実施形態に従うと、近接センサは、スタイラスから近接入力を受け付けるように構成されている。
【００２２】
ユーザ・インタフェースの１つの実施形態に従うと、電子装置は複数の動作モードで動作するように構成され、コントローラは、更に現在の動作モードにおける近接入力キーの機能を表す指標を拡大して表示するようにディスプレイを制御するように構成されている。
【００２３】
ユーザ・インタフェースの１つの実施形態に従うと、コントローラは、更に電子装置の現在の動作モードを表す指標を表示するように追加的にディスプレイを制御するように構成されている。
【００２４】
ユーザ・インタフェースの１つの実施形態に従うと、電子装置は、携帯電話機である。
【００２５】
本発明の他の観点に従うと、電子装置で機能を起動する方法は、電子装置上のキーから近接入力を受け付けるステップと、近接入力を受け付けたキーの機能を表す指標を拡大して表示するステップと、電子装置上のキーの少なくとも１つのキーから接触入力を受け付けるステップと、ディスプレイに表示されている機能を実行するステップを有する。
【００２６】
本方法の１つの実施形態に従うと、方法は、近接入力を受け付けたキーと接触入力を受け付けたキーが異なる場合、ディスプレイに表示されている機能にロックするステップを更に有する。
【００２７】
本方法の１つの実施形態に従うと、複数のキーから同時に接触入力を受け付けた場合、ディスプレイに表示されている機能にロックするステップを更に有する。
【００２８】
本方法の１つの実施形態に従うと、近接入力キーと接触入力キーは同一のキーである。
【００２９】
本方法の１つの実施形態に従うと、近接入力はキャパシティブ入力である。
【００３０】
本方法の１つの実施形態に従うと、電子装置は複数の動作モードを有し、表示するステップは、現在の動作モードにおいて近接入力を受け付けたキーの機能を表す指標を拡大して表示するステップを有する。
【００３１】
本方法の１つの実施形態に従うと、表示するステップは、現在の動作モードを表す指標を追加的に表示するステップを更に有する。
【００３２】
本方法の１つの実施形態に従うと、拡大される指標はアイコンである。
【００３３】
本方法の１つの実施形態に従うと、拡大される指標はテキストである。
【００３４】
本発明のこれらの特徴及びさらなる特徴は、以下の詳細な説明と図面を参照することで理解していただけるだろう。詳細な説明と図面において、本発明の特別な実施形態を本発明の原理を使用するいくつかの方法を示すものとして開示している。しかしながら、それらに限定されないことは理解していただけるだろう。そして、本発明は、特許請求の範囲に従うすべての変形、修正及び、等価物を内包する。
【００３５】
以下で説明する１つの実施形態に対する特徴は、１つ以上の他の実施形態と同じ方法または似た方法で、または、他の実施形態と統合もしくは代替する等して使用してもよい。
【００３６】
本明細書で使用する「備える」及び「備えている」という語句は、特徴、整数、ステップ、または、構成物の存在を明確にするために使用しているが、１つ以上の他の特徴、整数、ステップ、構成物、または、それらのグループの存在または追加を除外するものではないことを強調されるべきである。
【図面の簡単な説明】
【００３７】
【図１】本発明の実施形態に従う例示的な電子装置としての携帯電話機を表す模式図である。
【図２】図１に示される携帯電話機の動作部の模式的なブロック図である。
【図３】図１に示される携帯電話機の入力装置として使用することができる例示的な２重入力のキー・ボタンを表す模式的図である。
【図４】本発明の実施形態に従って使用することができる例示的な方法を表すフローチャートである。
【図５Ａ】図１に示される携帯電話機において本発明の実施形態に従うユーザ・インタフェースの例示的な使用状況を表す図である。
【図５Ｂ】図１に示される携帯電話機において本発明の実施形態に従うユーザ・インタフェースの例示的な使用状況を表す図である。
【図６Ａ】図１に示される携帯電話機において本発明の実施形態に従うユーザ・インタフェースの例示的な使用状況を表す図である。
【図６Ｂ】図１に示される携帯電話機において本発明の実施形態に従うユーザ・インタフェースの例示的な使用状況を表す図である。
【図７Ａ】図１に示される携帯電話機において本発明の実施形態に従うユーザ・インタフェースの例示的な使用状況を表す図である。
【図７Ｂ】図１に示される携帯電話機において本発明の実施形態に従うユーザ・インタフェースの例示的な使用状況を表す図である。
【図７Ｃ】図１に示される携帯電話機において本発明の実施形態に従うユーザ・インタフェースの例示的な使用状況を表す図である。
【図８Ａ】図１に示される携帯電話機において本発明の実施形態に従うユーザ・インタフェースの例示的な使用状況を表す図である。
【図８Ｂ】図１に示される携帯電話機において本発明の実施形態に従うユーザ・インタフェースの例示的な使用状況を表す図である。
【図８Ｃ】図１に示される携帯電話機において本発明の実施形態に従うユーザ・インタフェースの例示的な使用状況を表す図である。
【図９】本発明の実施形態に従って使用することができる他の例示的な方法を表すフローチャートである。
【図１０】図１に示される携帯電話機が動作しうる通信システムの模式的なブロック図である。
【発明を実施するための形態】
【００３８】
本発明の例示的な実施形態は、入力装置とディスプレイを備えるポータブル電子装置のユーザ・インタフェースを提供する。このユーザ・インタフェースは、ユーザ（特に、視覚障害のあるユーザ）に対して、装置の機能の視認性を改善する。ユーザ・インタフェースは、更に、特に、不器用なユーザにとって関心があるかもしれないように、正しくないキーを、または、複数のキーを誤って押下してしまうことによって、望まない機能を起動してしまう可能性を削減する。
【００３９】
ユーザ・インタフェースの入力装置は、２重入力のキー・ボタンを備えるキーパッド入力であってもよい。本発明は、入力装置としてキーパッド・ボタンを使用する例示的な実施形態に関して説明するが、他の入力装置を備えていてもよい。例えば、入力装置は、平面のタッチパッドの表面であるキーを備えていてもよく、あるいはタッチ・スクリーンの表面に提供されるキーを備えていてもよい。２重入力の１つの入力は、指、スタイラス、または他の器具のキー・ボタンへの近接または接触を検出することができるキャパシティブ（静電容量）入力である。他の入力は、キー・ボタンの物理的な押下に応答する接触感知入力である。
【００４０】
１つの例示的な実施形態では、本発明のユーザ・インタフェースは、入力キーの機能の視覚的な識別を改善することができる。このような改善は、視覚障害者達にとって、または、装置の機能の強調した視覚的表現を単に好む人達にとって有益でありうる。ユーザが、指、スタイラス、または、他の入力用の器具をあるキー・ボタンの近くに動かすと、キャパシティブセンサは、その結果、キャパシティブ入力を生成するという応答をする。キャパシティブ入力は、そのキーの機能を表すアイコン、テキスト、また、シンボルを表示するようにディスプレイを動作させる。そして、表示される指標を、ユーザに見やすいようにするために、ディスプレイの実質的な位置に拡大する。
【００４１】
ユーザは、関連付けられているキー・ボタンを押下することによって、表示されている機能を起動しうる。ユーザがそのように操作していないが、その代わりに異なるキー・ボタンに近接するように指または入力器具を動かすと、ディスプレイは、新規に選択されるキー・ボタンの機能を表すアイコン、テキスト、または、シンボルを拡大して表示する。ユーザは、所望のキーと機能を見つけられるまで、様々なキーの機能を表示する動作を繰り返してもよい。所望のキーと機能が見つけられると、ユーザは、表示されているアイコン、テキスト、またはシンボルに関連付けられている機能を起動するために、キー・ボタンを押下することによって接触入力を行うこともできる。
【００４２】
１つの例示的な実施形態では、ユーザ・インタフェースは、望まない機能の誤選択を防ぐことによって所望の機能を選択しやすくするように改善することができる。このような改善は、例えば、高齢または障害のために、典型的なポータブル電子装置の小さい入力キー・ボタンを操作するために十分な手先の器用さを持たない人達にとって有益である。この例示的な実施形態では、キャパシティブ入力が検出され、キーの機能を表すアイコン、テキスト、またはシンボルが表示されると、ポータブル電子装置は、ディスプレイに表示している機能に事実上ロックする。従って、１つ以上の異なる、望まないキー・ボタンを不意に押下される場合でさえ、そこにディスプレイに表示している機能に対応する本来のキー・ボタンが含まれていても、いなくても、表示している機能が起動される。換言すれば、キー・ボタンについてのキャパシティブ入力がそのキーについての機能の指標を表示するようにする場合、どのキーを接触入力したとしても、キャパシティブ入力に対応する表示されている機能を起動する。このようにして、望まないキー・ボタンを誤って押下しても、所望の機能を起動しうる。
【００４３】
表示されるアイコン、テキスト、または、シンボルによって示される、キーによって実行される機能は、製造時にキーに対して固定のであってもよく、選択的には、ユーザによってプログラム、または、定義してもよい。ユーザによってキーの機能が定義される場合、ユーザは、更に、キーに関連付けられているアイコン、テキスト、または、シンボルを定義することもできる。
【００４４】
加えて、キー・ボタンの機能を示すために表される特定のアイコン、テキスト、または、シンボルは、ポータブル電子装置の動作モード、現在、装置で動作しているアプリケーション、または、装置の他の入力条件に依存していてもよい。例えば、ポータブル電子装置は、カメラモードを備えていてもよい。装置がメニュー選択モードである場合、あるキー・ボタンは「選択」ボタンとして機能してもよく、装置がカメラモードの場合、そのキー・ボタンはカメラのシャッターを起動してもよい。このボタンに対するキャパシティブ入力が受け付けられる場合、結果として表示される機能の指標は、装置の状態や動作モードに依存することになる。例えば、装置がメニュー選択モードである場合、キャパシティブ入力は「選択」のアイコンまたはシンボルを表示してもよく、それに対して、装置がカメラモードである場合、「写真撮影」を示すシンボルまたはアイコンを表示してもよい。
【００４５】
本発明の実施形態を、図面を参照しながら詳細に説明する。図面中の参照番号は、構成要素を参照するために同様の参照番号を使用している。図面には、スケールが必要ないことを理解していただけるだろう。
【００４６】
以下では、本発明を伝統的な携帯電話機に適用する場合として説明している。本発明は、携帯電話機への適用に限定することを意図しておらず、例えば、メディア・プレーヤ、ゲーム機、または、コンピュータのような様々な形式の適切なポータブル電子装置に関するものであることを理解していただけるだろう。ここでの記載の目的のために、言い換え可能な語句「電子機器」と「電子装置」は、更に、ポータブル無線通信装備を含んでいてもよい。以下では、時には、「移動無線端末」として言及される語句「ポータブル無線通信機器」は、携帯電話機、ページャー、コミュニケータ、エレクトロニック・オーガナイザ、パーソナルデジタルアシスタント（ＰＤＡ）、スマートフォン、及び、他のポータブル通信装置等のようなすべての機器を含んでいる。
【００４７】
図１は、例示的な携帯電話機１０を示している。携帯電話機１０は、フリップ・オープン式で開閉可能なカバー１５を備える折りたたみ式の電話機であってもよい。図１では、カバーが開いている状態を示している。携帯電話機１０が、「ブロック」や「ブリッレンガ（ブリック）」のような他の構造を有していてもよいことは、理解していただけるだろう。
【００４８】
図２は、携帯電話機１０の機能ブロック図を表している。携帯電話機１０は、本発明の機能を実行するためのユーザ・インタフェース・アプリケーション４３を備えていてもよい。アプリケーション４３を、常駐し、携帯電話機１０によって実行される実行可能なプログラム・コードとして実現されてもよい。携帯電話機１０は、コンピュータ、または、機械可読記憶媒体に記憶されているプログラム・コードを実行するコントローラを含んでいてもよい。コントローラは、制御回路４１と処理装置４２のうちの少なくとも１つを備えていてもよい。プログラムは、スタンドアローン・ソフトウェア・アプリケーションであってもよく、携帯電話機１０に関する他のタスクを実行するソフトウェア・アプリケーションの一部であってもよい。
【００４９】
携帯電話機１０は、折りたたみ式の電話機を開いたときに見ることができるディスプレイ１４を備えている。ディスプレイ１４は、携帯電話機１０の様々な機能や動作状態に関する情報をユーザへ表示し、携帯電話機１０によって受信される、またはメモリ４５（図２）から取得されるのどちらか一方によって、視覚的なコンテンツを表示する。更に、ディスプレイ１４を、カメラ・アセンブリ６２のための電子的なファインダーとして使用してもよい。
【００５０】
キーパッド１８は、ユーザに様々な入力動作を提供する。例えば、キーパッド１８は、電話番号、電話帳、連絡先（コンタクト・インフォメーション）、または、メモ等のような英数字の情報の入力を可能にするために、英数字のキーを典型的に備えている。加えて、キーパッド１８は、通話を開始するまたは着信に応答するための「送信」キーのような特定機能キーを典型的に含んでいる。後述するように、特定機能キーは、ディスプレイ１４に表示されるメニューを通しての案内（ナビゲーション）を容易にするためのメニュー・ナビゲーション・キーと選択キーを更に含んでいる。いくつかのキーまたはすべてのキーは、ソフト・キーとしてディスプレイと連携して使用してもよい。キーまたはキーのような機構は、ディスプレイ１４に関連付けられているタッチ・スクリーンとして実現されてもよい。
【００５１】
図２に示されているように、携帯電話機１０は、キャパシティブセンサ２０を更に含んでいる。キャパシティブセンサ２０は、キーパッド１８と通信している。ユーザが指、スタイラス、または、他の入力器具をキーパッド１８のキー・ボタンの近くにおいたとき、キャパシティブセンサは指または入力器具の存在を検出する。１つの実施形態では、キー・ボタン近傍に指や入力器具を動かした場合、キャパシティブセンサが起動される。ゆえに、キャパシティブセンサは、指または他の入力器具が近くにある正確なキー・ボタンを区別するための感度を有するように構成されている近距離センサであってもよい。他の実施形態に従うと、指または他の入力器具があるキー・ボタンにタッチ（押下はしない）したときに、キャパシティブセンサが起動されてもよい。
【００５２】
例示的な実施形態としてキャパシティブセンサを使用しているが、他の近距離センサやタッチ・センサであってもよい。このタイプのすべてのセンサを、本明細書ではまとめて「近接センサ」と言及する。近接センサは、指やスタイラスや他の入力器具が、キーパッド・ボタンを押下したことではなく、キーパッド・ボタンに近接したり、タッチしたりすることを検出できるセンサである。このことを、本明細書では、「近接入力」と呼んでいる。キャパシティブセンサに加えて、近接センサの他の例として、磁気センサ、光センサ、音響センサ、または、誘導型センサ等がある。
【００５３】
携帯電話機１０は、接触感知センサ２２を更に備えている。この接触感知センサ２２は、キーパッド１８と通信している。キーパッド１８のボタンを（単にタッチするだけでなく）押下する等して、接触入力が印加されていることを、接触感知センサは検出する。
【００５４】
図３は、キーパッド１８のボタンとして使用できる例示的な２重入力キー・ボタン１６を示している。キー・ボタン１６は、ユーザがタッチしたり、押下したり、さもなければ、指やスタイラスや他の入力器具による近接入力を伝えたりするボタン表面３２を含んでいる。第１の２重入力として、キー・ボタン表面３２はキャパシティブ（静電容量）回路要素３０を含むキャパシティブセンサの１つに関連付けられていてもよい。指やその他の入力器具がボタン表面３２に近かったり、ボタン表面３２にタッチしたりしたとき、キャパシティブ回路要素３０は、静電容量の変化を検出することができる。それゆえに、近接キャパシティブ（静電容量）入力が発生する。
【００５５】
第２の２重入力として、ボタン表面３２は、更に、接触感知センサ２２に関連付けられいてもよい。ボタンが押下されると、ボタン表面３２は、当業者に知られている静電容量材料で製造されている静電容量表面３４を押圧する。押圧されると、静電容量表面３４は、回路基板３８上に搭載されている電気的な端子３６と接触する。電気的な導線４０は、キーパッド１８のキーパッド・ボタンの接触押圧に応答して電気的な入力を生成するように回路を構成している。
【００５６】
図４は、本発明の実施形態に従うユーザ・インタフェースを備える例示的な方法を示している。例示的な方法は、視覚障害のある、または、単に強調表示を好む人々に利益をもたらしうる、キー機能の視認性を高めることを提供する。この例示的な方法では、機能の論理ステップを実行する順序が特定の順序で記載されているが、このステップを実行する順序は、図示されている順序に関連して変更されてもよい。更に、連続して示されている２つ以上のステップが同時に実行されても良いし、または、部分的に同時に実行されてもよい。そのようなすべての変形は、本発明の範囲内であることが理解されるであろう。
【００５７】
ステップ１００で、携帯電話機１０は、自信のアクティブ表示を表示している。アクティブ表示は、携帯電話機が最初に電源がいれられるとき、通話を終了された後等のような、携帯電話機がある動作状態や動作モードであるときの表示である。実質的に、アクティブ表示は、ユーザがアクセスすることができる様々な携帯電話機の機能のうちの、携帯電話機の現在の動作状態や動作モードにあるときの表示に対応している。ステップ１１０で、静電容量センサ２０は、キーパッド１８のキーパッド・ボタンの１つにおける「キャパシティブ・タッチ」を検出する。上述のキャパシティブ・タッチは、指やその他の入力器具がキー・ボタンにキャパシティブセンサによって検出できるぐらい十分に近接したり、または、選択的には、キー・ボタンが押下されるのでなくタッチされる場合に発生しうる。キャパシティブ入力が検出される場合、その後、ステップ１２０で、検出されたキー・ボタンの機能を表す指標がディスプレイ１４に拡大されて表示される。この指標は、キャパシティブ入力が検出されたキー・ボタンに対応する機能を表すアイコン、テキスト、または、シンボルであり得る。１つの実施形態では、キー機能と、対応する指標との少なくとも一方を、製造時にプリセットしておいてもよい。他の実施形態では、１つ以上のキーの機能と対応する機能との少なくとも一方を、ユーザによって定義したり、プログラムしたりしてもよい。
【００５８】
ユーザは、この段階でいくつかのオプションを持つことができる。ステップ１３０は、例示的な「タイム・アウト（時間制限）」機能を表している。ユーザが「Ｘ｝秒以内に何も動作を起こさない場合、その後、方法は、単純に初めに戻り、アクティブ表示がディスプレイ１４に再度表示される。ステップ１４０で、ユーザは、指や他の入力器具を異なるキーに移動することによって新規のキャパシティブ入力を入力してもよい。そのとき、方法は、ステップ１２０に戻る。新規のキーに対するキャパシティブ入力は、新規のキーの機能を表す指標（アイコン、テキスト、または、シンボル）を拡大して表示するようにする。
【００５９】
一旦、ユーザが所望の機能を見つけると、ステップ１５０で、ユーザはディスプレイに表示している機能を起動（アクティベート）するために接触入力を採用してもよい。（接触入力が受け付けられない場合、方法は、「タイム・アウト」のステップ１３０に戻ってもよい）。接触感知センサ２２は、指やスタイラスや他の入力器具で実際にキー・ボタンを押下することによって印加することができる接触入力を検出する。ステップ１６０で、携帯電話機は、接触入力に応答してディスプレイに表示している機能をアクティベートしてもよい。
【００６０】
図１と図５〜図８は、様々な機能に関する電子装置及び説明される方法の例示的な使用状況を示している。図示されるこれらの例示的な種類にのみ限定されるものではなく、本発明の目的から逸脱することなく、同様の方法で他の機能がアクティベートされてもよいことは明らかであろう。
【００６１】
図１を参照すると、例示的な携帯電話機１０は、携帯電話機の異なる機能にそれぞれ対応している機能キー１６ａ〜１６ｄを含んでいる。この例では、どの機能もアイコンによって表されており、対応するキー・ボタンによりアクセスすることができる。例えば、携帯電話機１０は、カメラ（１６ａ）、メール機能（１６ｂ）、ウェブ・ブラウザ（１６ｃ）、及び、メディア・プレーヤ（１６ｄ）を起動（アクティベート）するための機能キー・ボタンを備えていてもよい。その他の、または、追加の機能キーを備えていてもよいことは明らかであろう。更に、従来からそうであるように、製造業者によって機能キーがプリセットされていてもよく、あるいはユーザによってプログラムされていてもよい。携帯電話機１０は、５方向のナビゲーション・パッド１７を更に含んでいてもよい。そして、それは、以下で詳細に説明する様々なナビゲーション機能や入力機能を実行することができる。
【００６２】
図５Ａは、ユーザがカメラ機能キー１６ａにキャパシティブ入力を印加している場合の例示的な状況にある携帯電話機１０を示している。図示されるように、カメラ機能がキー１６ａに関連していることを示すために、カメラ・アイコンが拡大されてディスプレイ１４に表示されている。図示されるように、表示されているカメラ・アイコンは、ディスプレイの主要な部分を占有してもよい。この方法では、カメラ機能を起動することを望むユーザは、正しい機能キーを選択していることを確信することができる。ユーザは、今、接触入力を印加することによって、つまり、カメラ機能キー・ボタンａを押下することによって、携帯電話機をカメラモードにすることができる。
【００６３】
図５Ｂは、ユーザがウェブ・ブラウザ機能キー１６ｃに接触入力を印加している場合の他の例示的な状況にある携帯電話機１０を示している。今、ディスプレイ１４は、ウェブ・ブラウザ機能を示すアイコンを拡大して表示している。ユーザは、最初に、または、カメラ機能キー１６ａのようなキーとは異なるキーから指または入力器具を移動して、キー１６ｃにキャパシティブ入力を印加する場合もある。このようにして、図５Ａと図５Ｂは、ユーザが機能キー１６ａから機能キー１６ｃへ入力器具を移動する際の連続するディスプレイの表示を表している。
【００６４】
あるキー・ボタンは、複数の機能を処理してもよい。例えば、電子メール機能キー１６ｂは、更に、通話モード時に、発呼するまたは着呼するための「送信：キーとして動作してもよい。１つの実施形態では、キャパシティブ入力の結果として表示されるアイコンは、携帯電話機１０の現在の状態または動作モードに依存する。
【００６５】
例えば、図６Ａは、携帯電話機１０が、現在どの機能にもアクセスされていない状態を意味する「静的（スタティック）」モードである例示的な状況に対応している。図示されるように、ユーザは、電子メールまたは送信キー１６ｂにキャパシティブ入力を印加している。携帯電話機が通話モードでないので、ディスプレイ１４は、ユーザが電子メール機能をアクティベート（起動）することができる、拡大した電子メール・アイコンを表示している。これに対して、図６Ｂでは、ユーザは、図中のディスプレイ１４で表示される電話番号を入力している。それゆえに、携帯電話機１０は通話モードであり、電子メールまたは送信キー１６ｂに現在印加されているキャパシティブ入力は、拡大されたテキスト「送信」をディスプレイ１４を表示するようにする。
【００６６】
他の実施形態では、ディスプレイは、キーの機能と同時に電子装置の動作モードを表示してもよい。例えば、携帯電話機の現在の動作モードと、そのモードで選択されているキーの機能の両方を表示するために、「通話モード」という表記が「送信」機能とともに表示されてもよい。
【００６７】
図７Ａ〜図７Ｃと図８Ａ〜図８Ｃは、複数の機能に対応している機能キーを使用する場合における、ユーザ・インタフェースの他の例を示している。上述のように、携帯電話機１０は、５方向のナビゲーション面１７を含んでいてもよい。従来からあるように、ナビゲーション面は、ディスプレイ１４に表示することも可能な様々なメニューを通して、ユーザにナビゲーションを提供できる。ナビゲーション面は、更に、メディア・プレーヤ・キー１６ｄを使用してアクティベート（起動）できるメディア・プレーヤ６３（図２）のコントロールとして機能することができる。
【００６８】
図７Ａ〜図７Ｃの例では、メディア・プレーヤ機能が起動していて、「お気に入り曲」リストが表示されている。このような「メニュー」モードの動作では、５方向のナビゲーション面１７は、表示されているメニューにおける様々なナビゲーション動作を可能にしている。キャパシティブ入力は、ディスプレイ１４に表示されているようにナビゲーション機能を制御することができる。例えば、図７Ａと図７Ｂに示されるように、スクロール・アップ機能及びスクロール・ダウン機能は、５方向ナビゲーション面１７の対応する位置にキャパシティブ入力を印加することによって表示され得る。図７Ｃに示されるように、中央のボタンは、「選択」キーとして動作することができる。この実施形態では、機能は、ディスプレイに拡大されて表示されているが、メニューの視認性の著しい妨げにはなっていない。ユーザは、５方向ナビゲーション面１７の対応する位置に接触入力を印加することによって、ナビゲーション機能の１つをアクティベート（起動）できる。
【００６９】
図８Ａ〜図８Ｃの例では、ディスプレイ１４に表示されているように、メディア・プレーヤが「曲名Ａ」の曲を再生している。このとき、ナビゲーション面１７は、メディア・プレーヤ・コントロールとして機能している。キャパシティブ入力は「再生」（図８Ａ）、「停止」（図８Ｂ）、または、「一時停止」（図８Ｃ）とディスプレイ１４に表示するようにメディア・プレーヤ・コントロールを制御する。これまでと同様に、ユーザは５方向ナビゲーション面１７の対応する位置に接触入力を印加することによって、メディア・プレーヤの機能の１つをアクティベート（起動）できる。
【００７０】
他の例示的な複数の機能キーが備えられていてもよい。例えば、通話モードのとき、数字キーに印加されるキャパシティブ入力は、そのキーに対応する数字（例えば、数字の「２」）を拡大して表示することができる。テキスト・メッセージングモードのときは、数字キーに印加されるキャパシティブ入力は、そのキーに対応する文字列（例えば、「２」のキーに対応する文字列「ＡＢＣ」）を拡大して表示することができる。加えて、ユーザは、キーの機能を定義するまたはプログラムしてもよい。例えば、例示的な携帯電話機が、専用の電子メールボタンを備えていない場合、ユーザは、数字（または他の）キーを電子メール機能専用としてプログラムすることもできる。ユーザは、更に、電子メール機能に関係付けられているアイコンを用意された選択肢の中から選択することもできる。複数の機能に対応するキーを作成する及び採用している他の例を、本発明の範囲から逸脱することなく実現することもできる。
【００７１】
上記のどの例においても、キャパシティブ入力によってディスプレイに表示した所望の機能に対応するキー・ボタンにおける接触入力（即ち、押下）を管理することによって、特定の機能または動作をアクティベート（起動）することができる。これらの例は、本発明の範囲を限定することを意味しておらず、本発明の範囲から逸脱することなく変形することができる。
【００７２】
年齢のため、傷害のため、または、その他の理由のために手先が器用でない人々にとって、ポータブル電子装置に共通する小さいサイズのキーまたはボタンを操作することは難しい可能性がある。１度に１つ以上のキーを押下したり、誤ったキーを押下したりすると、望んでいない機能を起動してしまう場合がある。１つの実施形態では、正規の接触入力の管理下でエラーが起こる可能性は、キャパシティブ入力に起動されている機能を判定させることによって減少する。この実施形態では、いくつかのキー・ボタン、または、キー・ボタンの組み合わせに印加される接触入力は、キャパシティブ入力入力に対応する機能をアクティベート（起動）するように電子装置を制御する。
【００７３】
図９は、手先の不器用なユーザが望んでいない機能を起動してしまう可能性を低減する本発明の実施形態に従うユーザ・インタフェースを備える例示的な方法を示している。特定の順序の機能の論理ステップとして例示的な方法を説明しているが、このステップの実行する順序は、図示されている順序に関連して変更されても良い。更に、連続して示されている２つ以上のステップが同時に実行されても良いし、または、部分的に同時に実行されてもよい。そのようなすべての変形は、本発明の範囲内であることが理解されるであろう。
【００７４】
図９を参照すると、この方法は、図４の方法と同様に開始し、ステップ２００で、アクティブ表示が表示される。ステップ２１０で、キャパシティブセンサがキャパシティブ入力を検出する。ステップ２２０で、キャパシティブ入力が受け付けられる場合、キーの機能を表す指標が拡大して表示される。この例示的な方法では、ステップ２３０で、装置は、予め定められた「Ｘ」秒間、ディスプレイに表示されている機能をロックし、接触入力を待機する。ステップ２４０で、接触入力をチェックする。あらかじめ定められた時間以内に接触入力が受け付けられる場合、ステップ２５０でディスプレイに表示されている機能がアクティベート（起動）される。正しいキーに、誤ったキーに、または、複数のキーに接触入力が印加されているかどうかに関係なく、任意の接触入力のチェックによって、表示されている機能を起動する。あらかじめ定められている時間内に接触入力が受け付けられない場合、この方法は、他のキャパシティブ入力をチェックするためにステップ２１０に戻る。
【００７５】
ステップ２３０におけるロックは、２つの目的がある。第１は、１つ以上の誤ったキー・ボタンへの接触入力を印加することによって、器用でないユーザが望まない機能の起動をしなくて済むようにすることである。例えば、ステップ２１０で、ユーザは、キャパシティブ入力を図１のカメラ機能キー１６ａに印加することを想定してみる。ステップ２２０で、カメラ機能に対応するアイコンが拡大されて表示されうる（例えば、図４Ａを参照）。それゆえに、ステップ２３０で、装置は、カメラ機能にロックされる。ステップ２４０で、カメラ機能の起動を望むユーザは、カメラ機能キー１６ａへの接触入力をしようとするだろう。その代わりに、ユーザが器用に実行できず、誤ってカメラ機能キー１６ａとその隣の電子メール機能キー１６ｂを押下する場合を想定してみる。２つのキー・ボタンを両方同時に押下するというエラーにもかかわらず、ステップ２１０のキャパシティブ入力に従ってカメラ機能がアクティベート（起動）される。他の実施形態では、正しいキー１６ａに接触入力を印加することなく、誤ったキー・ボタン（つまり、１６ｂ）のみを押下した場合でさえも、カメラ機能が起動されることになる。それゆえに、携帯電話機は、キャパシティブ入力に従って、表示されている機能を有効にロックしている。この方法では、複数のキーの押下によるまたは誤ったキーの押下によって生じするエラーの可能性が削減される。
【００７６】
ステップ２３０におけるロックに関連する機能は、ユーザに、接触入力を印加する時間を提供するために、新規のキャパシティブ入力を行うことを排除することである。例えば、再度、ステップ２１０で、ユーザが、カメラ機能キー１６ａにキャパシティブ入力を印加し、その後、器用に実行することができずに、誤って電子メール機能キー１６ｂを押下するように指を動かしてしまっていると想定する。ロックするステップがない場合、ユーザの指がそのキーに近づくと、装置は、電子メール機能キー１６ｂへの望んでいないキャパシティブ入力を認識する可能性があり、これは、最終的に誤った機能の起動という結果となる。ステップ２３０でのカメラ機能をロックすることにより、ユーザが指を誤ったキーに移動しても、新規のキャパシティブ入力を受け付けることはない。
【００７７】
ロックするステップの「Ｘ」秒という時間は、変更することができるが、新規のキャパシティブ入力を受け入れるのに不便と感じる遅延を招くような長さでは無く、ユーザに接触入力を行うために合理的な機会を与えるぐらい十分に長い時間にセットされるべきであることが好ましい。約１秒から２秒のロックは、このバランスをとるのに適当である。選択的には、ロックは、特別な時間期間であるわけではない。その代わりに、装置は、ユーザが指または他の入力器具を装置の近傍から離すまで、キャパシティブ入力をロックしていてもよく、これによって、任意のキャパシティブ入力を完全に排除することができる。その後、ユーザは、キャパシティブ入力を新たに印加することができる。
【００７８】
ステップ２４０で、接触入力の受付がまったくない場合、この方法は、新規のキャパシティブ入力をチェックするために、ステップ２１０に戻る。ユーザが、同一のキャパシティブ入力を入力する場合もあれば、新規のキーへ指または入力器具を移動することによって、新規のキャパシティブ入力を行うかもしれない。キャパシティブ入力を受け付けられない場合、装置は、アクティブ表示に戻っても良い。
【００７９】
携帯電話機１０の更なる機能を説明する。簡略化のために、携帯電話機１０の一般的で伝統的な機能は、ここでは、詳細には説明しない。携帯電話機１０は、典型的には、他の携帯電話機や固定電話機や他の電子機器である、発呼装置／着呼装置と間で、通話及び信号交換の少なくとも一方を確立することをを可能にする呼回路を含んでいる。携帯電話機１０は、更に、データを送信する、受信する、または、処理するように構成されていてもよい。このデータには、テキスト・メッセージ（例えば、ショート・メッセージ・サービスを表す、ときには「ＳＭＳ」と呼称される）、電子メール・メッセージ、マルチメディア・メッセージ（例えば、マルチメディア・メッセージ・サービスを表す、時には「ＭＳＭ」と呼称される）、画像ファイル、ビデオファイル、オーディオファイル、リング・トーン（着信音）、ストリーミングオーディオ、ストリーミングビデオ、データ・フィード（ポッドキャストを含む）等である。このようなデータの処理には、メモリ４５にデータを記憶すること、ユーザとデータとのを対話を可能にするためのアプリケーションを実行すること、データに関連付けられているビデオ及び画像の少なくとも一方のコンテンツを表示すること、データに関連するオーディオ音声を出力することを含んでいる。
【００８０】
携帯電話機１０は、携帯電話機１０の機能と動作のすべての制御を実行するように構成されている、プライマリの制御回路４１を備えていてもよい。この制御回路４１は、ＣＰＵやマイクロコントローラやマイクロプロセッサのような処理装置４２を含んでいてもよい。それらの機能に従うと、本発明の機能を実現するために、制御回路４１及び処理装置４２の少なくとも一方は、ユーザ・インタフェース・アプリケーション４３として実現されるプログラム・コードを実行することができるコントローラを備えている。コンピュータ・プログラミングの、特に、カメラや携帯電話機やその他の電子装置のアプリケーション・プログラミングの当業者にとって、アプリケーション４３に関係する論理機能を動作させ及び実行するために、どのように携帯電話機をプログラムするかということは明らかであろう。従って、プログラミング・コードの詳細は簡略化のために省略する。更に、例示的な実施形態に従って、制御回路４１によってこのプログラミング・コードが実行されてもよいので、専用のハードウェア、ファームウェア、ソフトウェア、またはそれらの組み合わせを介して、本発明の範囲から逸脱することなく、そのようなコントローラの機能を実行することができる。
【００８１】
携帯電話機１０は、無線回路４６と接続されているアンテナ４４を含んでいてもよい。無線回路４６は、従来よりある、アンテナ４４を介して信号を送受信するための無線周波数送受信機を含んでいる。携帯電話機１０は、更に、無線回路４６から送受信されるオーディオ信号を処理するための音声信号処理回路４８を含んでいる。音声処理回路４８に接続されているものには、従来よりある、携帯電話機１０を介してユーザが聞き、話すことを可能にするスピーカ５０とマイクロホン５２である。
【００８２】
ディスプレイ１４は、ビデオデータを、様々なディスプレイの駆動に使用するためのビデオ信号に変換するビデオ処理回路５４によって制御回路４１に接続されていてもよい。ビデオ処理回路５４は、適当なバッファ、デコーダ、ビデオデータ・プロセッサ等を含んでいてもよい。ビデオデータは、制御回路４１によって生成されてもよく、メモリ４５に記憶されているビデオファイルから取得されてもよく、無線回路４６によって受信されるビデオデータ・ストリームから導出されてもよく、あるいはその他の適切な方法によって取得されてもよい。
【００８３】
携帯電話機１０は、更に、アクセサリ、他の移動無線端末、コンピュータ、または、他の装置との通信を確立するための、赤外線トランシーバやＲＦアダプタ（例えば、ブルートゥース）等のようなローカル無線インタフェース６６を備えていてもよい。例えば、ヘッドセット・アセンブリ（例えば、ＰＨＦ装置）が対応する無線インタフェースを有する実施形態において、ローカル無線インタフェース６６は、そのヘッドセット・アセンブリと携帯電話機１０を動作可能に接続することができる。
【００８４】
携帯電話機１０は、更に、従来からの様々なＩ／Ｏ装置と接続できるＩ／Ｏインタフェース５６を含んでいてもよい。そのような装置の１つは、内部の電源供給部（ＰＳＵ）５８の充電のために使用できる充電器である。
【００８５】
加えて、図１０に示されるように、携帯電話機１０は、通信システム６８の一部として動作するように構成されていてもよい。システム６８は、携帯電話機によって発信され、宛先までの呼を管理し、携帯電話機１０にデータを送信し、その他のサポート機能を実行するためのサーバ７２（または、複数のサーバ）を有する通信ネットワーク７０を含んでいてもよい。サーバ７２は、通信媒体を介して携帯電話機１０と通信する。この通信媒体は、例えば、通信タワー（例えば、セルタワー）、他の携帯電話機、無線アクセス・ポイント、衛星等のような任意の適当な装置あるいはアセンブリであってもよい。ネットワークの一部分は、無線通信経路を含んでいてもよい。ネットワーク７０は、複数の携帯電話機１０と他のタイプのエンド・ユーザ装置との通信アクティビティをサポートしていてもよい。サーバ７２は、サーバ機能を実行するために使用される典型的なコンピュータ・システムとして構成されていてもよく、また、サーバ７２の機能を実現する論理命令を含んでいるソフトウェアを実行するように構成されているプロセッサと、そのようなソフトウェアを記憶するためのメモリを含んでいてもよいことは理解していただけるだろう。
【００８６】
好ましい実施形態を例として本発明を説明してきているが、本明細書を読み、理解することで、当業者が本発明と同等な物や変形を実施できることは理解していただけるだろう。本発明は、そのような同等の物や変形をすべて内包し、特許請求の範囲にのみ限定される。
【図１】
2010534883.tif 000003
【図２】
2010534883.tif 000004
【図３】
2010534883.tif 000005
【図４】
2010534883.tif 000006
【図５Ａ】
2010534883.tif 000007
【図５Ｂ】
2010534883.tif 000008
【図６Ａ】
2010534883.tif 000009
【図６Ｂ】
2010534883.tif 000010
【図７Ａ】
2010534883.tif 000011
【図７Ｂ】
2010534883.tif 000012
【図７Ｃ】
2010534883.tif 000013
【図８Ａ】
2010534883.tif 000014
【図８Ｂ】
2010534883.tif 000015
【図８Ｃ】
2010534883.tif 000016
【図９】
2010534883.tif 000017
【図１０】
2010534883.tif 000018
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
電子装置（１０）で使用するためのユーザ・インタフェースであって、
ディスプレイ（１４）と、
それぞれが近接入力を検出する近接センサ（２０）と接触入力を検出する接触感知センサ（２２）とを備える複数のキー（１６ａ−ｄ、１７）を有する入力装置（１８）と、
前記複数のキーのいずれか１つの近接入力を受け付け、前記近接入力を受け付けると、前記複数のキーのいずれか１つの機能を表す指標を拡大して表示するように前記ディスプレイを制御するように構成されているコントローラ（４１、４２）とを備え、
前記コントローラ（４１、４２）は、更に、前記複数のキーの少なくとも１つからの接触入力を受け付け、前記接触入力を受け付けると、その接触入力がどのキーで受け付けているかに関係なく、前記ディスプレイに表示されている前記機能を当該電子装置に実行させるように構成されている
ことを特徴とするユーザ・インタフェース。
【請求項２】
前記コントローラ（４１、４２）は、前記近接入力を受け付けたキーとは異なるキー（１６ａ−ｄ、１７）から前記接触入力を受け付けた場合、前記ディスプレイに表示されている前記機能を前記電子装置（１０）に実行させる
ことを特徴とする請求項１または１１に記載のユーザ・インタフェース。
【請求項３】
前記コントローラ（４１、４２）は、複数のキー（１６ａ−ｄ、１７）から同時に前記接触入力が受け付けられる場合、前記ディスプレイに表示されている前記機能を前記電子装置（１０）に実行させる
ことを特徴とする請求項１または１１に記載のユーザ・インタフェース。
【請求項４】
前記複数のキー（１６ａ−ｄ、１７）のそれぞれの前記近接センサ（２０）は、キャパシティブ入力を検出するキャパシティブセンサである
ことを特徴とする請求項１乃至３、及び１１のいずれか１項に記載のユーザ・インタフェース。
【請求項５】
前記電子装置（１０）は、複数の動作モードで動作するように構成され、
前記コントローラ（４１、４２）は、更に、前記近接入力を受け付けたキーの現在の動作モードおける機能を表す指標を拡大して表示するように前記ディスプレイ（１４）を制御するように構成されている
ことを特徴とする請求項１から４、及び１１のいずれか１つに記載のユーザ・インタフェース。
【請求項６】
前記コントローラ（４１、４２）は、更に、前記電子装置（１０）の前記現在の動作モードを表す指標を表示するように前記ディスプレイ（１４）を制御するように構成されている
ことを特徴とする請求項５に記載のユーザ・インタフェース。
【請求項７】
電子装置（１０）における機能を動作させる方法であって、
前記電子装置のキー（１６ａ−ｄ、１７）から近接入力を受け付けるステップと、
前記近接入力を受け付けた前記キーの機能を表す指標を拡大して表示するステップと、
前記電子装置の少なくとも１つのキーから接触入力を受け付けるステップと、
前記接触入力がどのキーで受け付けているかに関係なく、前記ディスプレイ（１４）に表示されている前記機能を実行するステップと
を備えることを特徴とする方法。
【請求項８】
前記近接入力を受け付けたキー（１６ａ−ｄ、１７）と前記接触入力を受け付けたキーが異なるキーである場合、前記ディスプレイ（１４）に表示されている前記機能をロックするステップを更に備える
ことを特徴とする請求項７に記載の方法。
【請求項９】
複数のキー（１６ａ−ｄ、１７）から同時に前記接触入力が受け付けられる場合、前記ディスプレイ（１４）に表示される前記機能をロックするステップを更に備える
ことを特徴とする請求項７に記載の方法。
【請求項１０】
前記電子装置（１０）は、複数の動作モードを有し、
前記表示するステップは、現在の動作モードにおける前記近接入力を受け付けたキーの機能を表す指標を拡大して表示することを含む
ことを特徴とする請求項７乃至９のいずれか１項に記載の方法。
【請求項１１】
前記コントローラは、予め定められた時間、前記ディスプレイに表示される機能をロックするように構成され、また、前記時間の間、前記コントローラは、前記接触入力がどのキーで受け付けているかに関係なく、前記ディスプレイに表示される前記機能を実行するように構成されている
ことを特徴とする請求項１に記載のユーザ・インタフェース。
【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
電子装置（１０）で使用するためのユーザ・インタフェースであって、
ディスプレイ（１４）と、
それぞれが近接入力を検出する近接センサ（２０）と接触入力を検出する接触感知センサ（２２）とを備える複数のキー（１６ａ−ｄ、１７）を有する入力装置（１８）と、
前記複数のキーのいずれか１つの近接入力を受け付け、前記近接入力を受け付けると、前記複数のキーのいずれか１つの機能を表す指標を拡大して表示するように前記ディスプレイを制御するように構成されているコントローラ（４１、４２）とを備え、
前記コントローラ（４１、４２）は、更に、前記複数のキーの少なくとも１つからの接触入力を受け付け、前記接触入力を受け付けると、その接触入力がどのキーで受け付けているかに関係なく、前記ディスプレイに表示されている前記機能を当該電子装置に実行させるように構成されている
ことを特徴とするユーザ・インタフェース。
【請求項２】
前記コントローラは、予め定められた時間、前記ディスプレイに表示される機能をロックするように構成され、また、前記時間の間、前記コントローラは、前記接触入力がどのキーで受け付けているかに関係なく、前記ディスプレイに表示される前記機能を実行するように構成されている
ことを特徴とする請求項１に記載のユーザ・インタフェース。
【請求項３】
前記コントローラ（４１、４２）は、前記近接入力を受け付けたキーとは異なるキー（１６ａ−ｄ、１７）から前記接触入力を受け付けた場合、前記ディスプレイに表示されている前記機能を前記電子装置（１０）に実行させる
ことを特徴とする請求項１または２に記載のユーザ・インタフェース。
【請求項４】
前記コントローラ（４１、４２）は、複数のキー（１６ａ−ｄ、１７）から同時に前記接触入力が受け付けられる場合、前記ディスプレイに表示されている前記機能を前記電子装置（１０）に実行させる
ことを特徴とする請求項１または２に記載のユーザ・インタフェース。
【請求項５】
前記複数のキー（１６ａ−ｄ、１７）のそれぞれの前記近接センサ（２０）は、キャパシティブ入力を検出するキャパシティブセンサである
ことを特徴とする請求項１乃至４のいずれか１項に記載のユーザ・インタフェース。
【請求項６】
前記電子装置（１０）は、複数の動作モードで動作するように構成され、
前記コントローラ（４１、４２）は、更に、前記近接入力を受け付けたキーの現在の動作モードおける機能を表す指標を拡大して表示するように前記ディスプレイ（１４）を制御するように構成されている
ことを特徴とする請求項１乃至５のいずれか１つに記載のユーザ・インタフェース。
【請求項７】
前記コントローラ（４１、４２）は、更に、前記電子装置（１０）の前記現在の動作モードを表す指標を表示するように前記ディスプレイ（１４）を制御するように構成されている
ことを特徴とする請求項６に記載のユーザ・インタフェース。
【請求項８】
電子装置（１０）における機能を動作させる方法であって、
前記電子装置のキー（１６ａ−ｄ、１７）から近接入力を受け付けるステップと、
前記近接入力を受け付けた前記キーの機能を表す指標を拡大して表示するステップと、
前記電子装置の少なくとも１つのキーから接触入力を受け付けるステップと、
前記接触入力がどのキーで受け付けているかに関係なく、前記ディスプレイ（１４）に表示されている前記機能を実行するステップと
を備えることを特徴とする方法。
【請求項９】
前記近接入力を受け付けたキー（１６ａ−ｄ、１７）と前記接触入力を受け付けたキーが異なるキーである場合、前記ディスプレイ（１４）に表示されている前記機能をロックするステップを更に備える
ことを特徴とする請求項８に記載の方法。
【請求項１０】
複数のキー（１６ａ−ｄ、１７）から同時に前記接触入力が受け付けられる場合、前記ディスプレイ（１４）に表示される前記機能をロックするステップを更に備える
ことを特徴とする請求項８に記載の方法。
【請求項１１】
前記電子装置（１０）は、複数の動作モードを有し、
前記表示するステップは、現在の動作モードにおける前記近接入力を受け付けたキーの機能を表す指標を拡大して表示することを含む
ことを特徴とする請求項８乃至１０のいずれか１項に記載の方法。
【国際調査報告】
2010534883.tif 000019
2010534883.tif 000020